(57)【特許請求の範囲】
【請求項１】
ＩＣチップ（３２）と、
当該ＩＣチップに接続する第１のアンテナ（３４）と、
当該ＩＣチップから電気的に分離した第２のアンテナ（３８）と、
当該ＩＣチップに接続するアンテナ接続電極（３６）と、
当該ＩＣチップ（３２）、当該第１のアンテナ（３４）、当該第２のアンテナ（３８）及び当該アンテナ接続電極（３６）を保持する保持シート（３０）
とからなり、
所定の箇所で当該保持シート（３０）を折り曲げたとき、当該アンテナ接続電極（３６）が当該第２のアンテナ（３８）に電気的に接続し、
当該第１のアンテナ（３４）及び当該第２のアンテナ（３８）が当該ＩＣチップ（３２）に対して同じ側に配置され、当該第１のアンテナ（３４）が当該第２のアンテナ（３８）よりも当該ＩＣチップ（３２）に近く、
当該アンテナ接続電極（３６）が、当該ＩＣチップ（３２）の、当該第１のアンテナ（３４）とは反対の側に配置される
ことを特徴とするＩＣラベル。
【請求項２】
当該ＩＣチップ（３２）、当該第１のアンテナ（３４）、当該第２のアンテナ（３８）及び当該アンテナ接続電極（３６）が当該保持シート（３０）の同じ面に配置される請求項１に記載のＩＣラベル。
【発明の詳細な説明】
【０００１】
【発明の属する技術分野】
本発明は、ＩＣラベルに関し、より具体的には、静電結合方式でアクセス可能なＩＣチップを具備するＩＣラベルに関する。
【０００２】
【従来の技術】
静電結合方式でデータをＩＣカードに書き込み及び読み出すシステムは、例えば、特開平８−１５３１７０号公報に記載されている。静電結合方式では、ＩＣカードとカードリーダとの間を静電結合、すなわちコンデンサで結合し、データを伝送する。従って、ＩＣカードをカードリーダに接触させずに、ＩＣカードの記憶データを読み出せるという利点がある。
【０００３】
この公報に記載の構成では、ＩＣカードの動作用電力を磁気結合方式でカードリーダからＩＣカードに供給しているが、データ伝送用の静電結合によっても電力を供給できる。
【０００４】
【発明が解決しようとする課題】
静電結合方式では、ＩＣメモリ等のＩＣチップに接続するアンテナと、リーダ／ライタに接続するアンテナを相互に対面させてコンデンサを形成すればよく、そのコンデンサに必要とされる容量と、ＩＣチップ及びリーダ／ライタの発生し得る電流によってアンテナ間距離が制限されるものの、ＩＣチップとリーダ／ライタとの間の距離的な制限が緩和されるので、多様な用途が期待される。
【０００５】
また、静電結合のためのアンテナは、例えば、紙材に導電性塗料をペーストすることでも形成することができるので、カードのような剛性の媒体でなく、一般的な紙のような柔軟な媒体にも適用しやすい。アンテナをＩＣチップから切り離すことも容易になり、アンテナをＩＣチップから分離するという簡単な操作で、データの書込み及び読み出しを防止又は困難にできる。
【０００６】
例えば、運輸・配送伝票ラベルの一部としたり、随時、発行するＩＣカードとしての利用が考えられる。運輸・配送伝票ラベルとする場合、物流過程では、ＩＣチップに非接触でアクセスして自在にデータを読み出し及び書込みできるので、配送履歴の管理に利用できる。荷受人に届けた時点でこのＩＣチップを回収することで、ホストコンピュータによる大規模なデータベースシステムによらずに配送履歴情報を保存できる。
【０００７】
逆に、初期的には、アンテナがＩＣチップから分離された状態にあり、使用開始時に簡単な操作でアンテナをＩＣチップに接続できる手段が望まれる。このような手段はまた、破損により又は意図的にアンテナを分離されたＩＣチップにアンテナを再接続する手段としても利用できる。
【０００８】
本発明は、このような要望を満たすＩＣラベルを提示することを目的とする。
【０００９】
【課題を解決するための手段】
本発明に係るＩＣラベルは、ＩＣチップと、当該ＩＣチップに接続する第１のアンテナと、当該ＩＣチップから電気的に分離した第２のアンテナと、当該ＩＣチップに接続するアンテナ接続電極と、当該ＩＣチップ、当該第１のアンテナ、当該第２のアンテナ及び当該アンテナ接続電極を保持する保持シートとからなり、所定の箇所で当該保持シートを折り曲げたとき、当該アンテナ接続電極が当該第２のアンテナに電気的に接続し、当該第１のアンテナ及び当該第２のアンテナが当該ＩＣチップに対して同じ側に配置され、当該第１のアンテナが当該第２のアンテナよりも当該ＩＣチップに近く、当該アンテナ接続電極が、当該ＩＣチップの、当該第１のアンテナとは反対の側に配置されることを特徴とする。
【００１２】
これにより、保管時にはＩＣチップにアクセス困難にしておき、必要時に簡単な処置でＩＣチップにアクセスできるようになる。第１のアンテナ及び第２のアンテナをＩＣチップに対して同じ側に配置すると共に、第１のアンテナを第２のアンテナよりもＩＣチップに近い位置に置くことで、保持シートを効率的に利用できる。アンテナ接続電極を当該ＩＣチップの、当該第１のアンテナとは反対の側に配置することで、保持シートの利用効率が高まり、全体をコンパクトにできる。
【００１３】
ＩＣチップ、第１のアンテナ、第２のアンテナ及びアンテナ接続電極を保持シートの同じ面に配置することにより、製造が容易になる。
【００１５】
【実施例】
以下、図面を参照して、本発明の実施例を詳細に説明する。
【００１６】
図１は、本発明の参考例の平面図を示す。チップ保持紙１０は、その片側にＩＣチップ１２を保持し、他側には、リーダ／ライタ（図示せず。）が静電結合によりＩＣチップ１２にデータを読み書きするためのアンテナ（導電体）１４を印刷してある。アンテナ１４は例えば、導電性塗料をチップ保持紙１０に所望のパターンで塗布又は印刷したものからなる。図示しないリーダ／ライタは、ＩＣチップ１２にアクセスするのに２つのアンテナを必要とし、チップ保持紙１０は、その片方のアンテナをＩＣチップ１２から分離した状態、換言すると、一方のアンテナ１４のみがＩＣチップ１２に接続している状態になっている。但し、ＩＣチップ１２にもう１つのアンテナを接続するための電極１６がＩＣチップ１２に接続している。
【００１７】
アンテナ補充紙２０は、その片側に、アンテナ１４に匹敵するサイズの、静電結合のためのアンテナ２２を印刷してあり、残りの部分２０ａを、チップ保持紙１０を貼り付けることのできる余白部分としている。
【００１８】
図１に破線で図示したように、チップ保持紙１０を裏返して、アンテナ補充紙２０の余白部分２０ａに貼り付ける。このとき、チップ補充紙１０の端部がアンテナ２２に重なって電極１６がアンテナ補充紙２０のアンテナ２２に電気的に接触し得るように、チップ補充紙１０をアンテナ補充紙２０に接着する。
【００１９】
完成状態の平面図を図２に示す。図２から分かるように、ＩＣチップ１２の両側にアンテナ１４，２２が接続した状態となり、静電結合によりＩＣチップ１２に動作電力を供給しつつ、ＩＣチップへのデータ書き込み及びＩＣチップ１２からのデータ読み出しが可能になる。
【００２０】
これは元々、２つのアンテナを具備するＩＣラベルから一方のアンテナを分離して回収したＩＣチップに対し、不足するアンテナを補充するのに利用できる。これにより、ＩＣチップのデータ読み出し（及び書込み）が再度、可能になる。更には、当初、図１に示すように分離した状態にしておいて、不用意にデータが読み出し又は書込みされるのを防止しておき、実際に使用するときに現場でチップ保持紙１０とアンテナ補充紙２０を上述のように接着して、ＩＣチップ１２のデータ読み出し又は書き込みを可能にするといった使用法にも適用できる。
【００２１】
アンテナ補充紙２０の裏面に接着剤を塗布し、剥離紙で保護しておくのが好ましい。図２に示す状態で、アンテナ補充紙２０を所望の箇所に容易に貼り付けることができる。
【００２２】
図３は、本発明の一実施例の平面図を示す。この実施例は、当初は一方のアンテナを分離しておき、使用開始時に、簡単な操作で不足するアンテナを補充できるようにしたものである。外形的には、図１に示す参考例のチップ保持紙１０とアンテナ補充紙２０を両者の端部で結合してものになっている。
【００２３】
台紙３０の一方端の近くにＩＣチップ３２が載置され、ＩＣチップ３２より内側に静電結合のためのアンテナ３４が印刷されている。ＩＣチップ３２より外側には別のアンテナを接続するための電極３６が延びている。
【００２４】
台紙３０の他端には、補充アンテナ３８が印刷されている。アンテナ３８とアンテナ３４との間の余白３０ａは、図１に示す実施例の余白２０ａに対応しており、台紙３０を図３に折り曲げ線として図示した位置（アンテナ３４のアンテナ３８側端部）で台紙３０を折り曲げたときに、電極３６がアンテナ３８に電気的に接触できる幅に設定されている。勿論、折り曲げ線が、図３に示す位置に限定される必要が無いことは明らかである。
【００２５】
台紙３０を折り曲げることで、電極３６がアンテナ３８に電気的に接触し、この結果、ＩＣチップ３２の両側にアンテナ３４，３８が接続した状態になる。この状態の平面図を図４に示す。図２に示したのと同じ状態になる。これにより、アンテナ３４，３８と、図示しないリーダ／ライタの同様のアンテナとの間の静電結合により、図示しないリーダ／ライタは、ＩＣチップの記憶データを読み出し、新たなデータを書き込むことができる。
【００２６】
【発明の効果】
以上の説明から容易に理解できるように、本発明によれば、簡単な処置で、ＩＣチップに必要なアンテナを補充又は接続でき、静電結合方式でＩＣチップにアクセスできるようになる。
【図面の簡単な説明】
【図１】  本発明の参考例の平面図である。
【図２】  参考例のアンテナ補充状態の平面図である。
【図３】  本発明の一実施例の平面図である。
【図４】  実施例のアンテナ接続状態の平面図である。
【符号の説明】
１０：チップ保持紙
１２：ＩＣチップ
１４：アンテナ
１６：電極
２０：アンテナ補充紙
２０ａ：チップ保持紙１０を接着する余白部分
２２：アンテナ
３０：台紙
３０ａ：余白部分
３２：ＩＣチップ
３４：アンテナ
３６：電極
３８：補充アンテナ
【図１】
0003783478.tif 000002
【図２】
0003783478.tif 000003
【図３】
0003783478.tif 000004
【図４】
0003783478.tif 000005